(57)【特許請求の範囲】
【請求項１】
紐締めフィッティング構造を備えた靴であって、
着地の衝撃を吸収するソールと、足の甲を包むアッパーと、前記アッパーを足の甲にフィットさせるためのシューレース手段とを有し、
前記アッパーは、着用時に脚が上方に出る第１開口と、前記第１開口の前方に設けられた第２開口とを有しており、前記２つの開口は、前後に互いに連なっており；
前記アッパーは、
足の内側面、外側面、爪先および背面を覆うメインアッパーと、
前記第２開口の側縁に沿って設けられ、前記第２開口の爪先近傍および前記第２開口の足首近傍に配置され、前記シューレース手段が通過すると共に係合する複数の第１ハトメと、
前記第２開口の側縁に沿って設けられ、前記第２開口の爪先近傍の前記第１ハトメと前記足首近傍の前記第１ハトメとの間に配置され、前記シューレース手段が通過すると共に係合する複数の第２ハトメと、
前記メインアッパーの内部の空間において前記内側面に沿って上方ないし斜め上方に向って前記足の内側面に巻き付く第１サイドパネルと、
前記メインアッパーの内部の空間において前記外側面に沿って上方ないし斜め上方に向って前記足の外側面に巻き付く第２サイドパネルと、
前記第１および第２サイドパネルの先端に各々設けられ前記シューレース手段が通過すると共に係合する第３ハトメとを備え、
少なくとも、前記各サイドパネルにおける前記第３ハトメを設けた近傍を含む上部が前記メインアッパーに接合されておらず、
前記第１サイドパネルの前記第３ハトメと前記第２サイドパネルの第３ハトメとが、足長方向に延びる仮想のラインを中心として、互いに斜め向かいに配置され、
前記シューレース手段が前記第１サイドパネルの第３ハトメと前記第２サイドパネルの第３ハトメとを連続的に通っている靴。
【請求項２】
請求項１において、前記各サイドパネルの下端はアッパーおよび／またはソールに付着されている靴。
【請求項３】
請求項２において、前記各サイドパネルの後縁の上部および各サイドパネルの前縁の上部は前記メインアッパーに接合されておらず、かつ、前記各サイドパネルの前記後縁および／または前縁の下部は前記メインアッパーに接合されている靴。
【請求項４】
請求項２において、前記サイドパネルの前縁および後縁の双方が前記メインアッパーに接合されていない靴。
【発明の詳細な説明】
【技術分野】
【０００１】
本発明は、履物の紐締めフィッティング構造に関する。
【背景技術】
【０００２】
山を歩行ないし走行するのに適した靴は、外の物体の衝突から足を守り、また、傾斜面や荒地において足を捻挫から守る。そのため、この種の靴は、一般的な靴に比べ、アッパーの剛性が大きい。
【０００３】
アッパーの剛性が大きいと、紐締めに大きな力と時間を要する上、緊締力の配分が難しくなる。かかる観点から、種々の紐締め構造が提案されている。
【特許文献１】特開平６−７８８０１号
【特許文献２】ＵＳＰ  ５，１６７，０８４
【特許文献３】特開平２−５９０３号
【特許文献４】特開２００５−１４３９５４
【特許文献５】ＵＳ２００５／０１２６０４３  Ａ１
【発明の開示】
【０００４】
特開平６−７８８０１号およびＵＳＰ５，１６７，０８４に開示された靴は、内部に緊締装置を備えている。この靴は、靴自体の緊締と内部の緊締装置の締付動作を、各々、別々に行う必要がある。
【０００５】
特開平２−５９０３号に開示された靴は、踵および舟状骨を支えるスターラップを備える。しかし、この靴のスターラップは、内側楔状骨を支持していない。また、スターラップとメインアッパーとを異なる緊締力で締付けることや、選択的に締付けることはできないだろう。
【０００６】
特開２００５−１４３９５４号に開示された靴は、ソールに連結されたベルトを備える。このベルトは、メインアッパーの外に配置されている。
この靴においては、ソールとメインアッパーとの一体感は得られるであろう。しかし、ベルトとメインアッパーとを異なる緊締力で締付けることや、両者を選択的に締付けることはできないだろう。
【０００７】
ＵＳ２００５／０１２６０４３Ａ１に開示されたブーツは、２つの独立した紐通しゾーンを備える。各ゾーンのシューレースは、各々、引っ張り操作されて、各ゾーンにおいてブーツのアッパーを足にフィットさせる。このブーツは、互いに独立した２本のシューレースを必要とする。
【０００８】
本発明の主目的は、足の部位に応じた締付け力で選択的に、かつ、迅速に紐締めすることのできる靴を提供することである。
【０００９】
本発明の靴は、紐締めフィッティング構造を備えた靴であって、着地の衝撃を吸収するソールと、足の甲を包むアッパーと、前記アッパーを足の甲にフィットさせるためのシューレース手段とを有し、前記アッパーは、着用時に脚が上方に出る第１開口と、前記第１開口の前方に設けられた第２開口とを有しており、前記２つの開口は、前後に互いに連なっており、前記アッパーは、足の内側面、外側面、爪先および背面を覆うメインアッパーと、前記第２開口の側縁に沿って設けられ、前記第２開口の爪先近傍および前記第２開口の足首近傍に配置され、前記シューレース手段が通過すると共に係合する複数の第１ハトメと、前記第２開口の側縁に沿って設けられ、前記第２開口の爪先近傍の前記第１ハトメと前記足首近傍の前記第１ハトメとの間に配置され、前記シューレース手段が通過すると共に係合する複数の第２ハトメと、前記メインアッパーの内部の空間において前記内側面に沿って上方ないし斜め上方に向って前記足の内側面に巻き付く第１サイドパネルと、前記メインアッパーの内部の空間において前記外側面に沿って上方ないし斜め上方に向って前記足の外側面に巻き付く第２サイドパネルと、前記第１および第２サイドパネルの先端に各々設けられ前記シューレース手段が通過すると共に係合する第３ハトメとを主たる要素とし、かつ、少なくとも前記各サイドパネルの上部が前記メインアッパーに接合されていないことを共通の要件とする。
【００１０】
本発明において、メインアッパーの内部の空間とは、メインアッパーで定義される空間を意味し、メインアッパーの外装材よりも内の空間をいい、内装材が存在する場合には内装材と外装材との間の空間を含む。したがって、メインアッパーが外装材と内装材とを有する場合には、各パネルは内装材と外装材との間に配置されていてもよい。つまり、各パネルが内装材を介して足の側面や甲に接する場合も本発明に含まれる。また、パネルは内装材で構成されてもよい。
【００１１】
かかる主要素および共通の要件を備えた靴は、各パネルがメインアッパーの内部の空間において足の側面に接する。そのため、各パネルは外装材と足との間に配置され、各パネルがメインアッパーにおける剛性の大きい外装材を介することなく、つまり、足とパネルとの間に外装材が挟まれることなく、各パネルが足の側面や甲に直接的にフィットする。
しかも、各パネルの上部がメインアッパーに接合されていないので、各パネルの上部がメインアッパーとは別に動き易い。そのため、各パネルの上部が足の側面や甲に沿うことが妨げられない。
その結果、パネルの上部が足にフィットし易い。
【００１２】
本発明において、「足の内（外）側面に沿って」とは、足の内（外）側面に概ね平行であることを意味する。
【００１３】
ここにおいて「ハトメ」とは、シューレース手段が通過し係合する孔をいい、例えば、メインアッパーに貫通孔を設けて形成したり、当該貫通孔に円環を設けたり、あるいは、Ｕ字状の金具を用いて形成する。なお、サイドパネルに必ずしも別途ハトメを設ける必要はなく、シューレース手段がサイドパネル自体を通過し係合してもよい。例えば、折り畳んで形成したサイドパネルの折り畳み部（ループ部）にシューレース手段が通過し係合してもよい。
【００１４】
本発明のある態様は、前記主要素を備えた靴において、前記シューレース手段と前記第２ハトメとの摩擦力が、前記シューレース手段と前記第１ハトメとの摩擦力よりも小さく、ここにおいて、前記シューレース手段は、前記第３ハトメを通らずに前記内側面と前記外側面との間を往復することを繰り返すように前記第１および第２ハトメを通って、前記第２開口を足幅方向に小さくして前記メインアッパーを足にフィットさせる第１部と、前記第２開口の爪先近傍の第１ハトメから前記中間の第２ハトメを通ることなく前記両サイドパネルの第３ハトメを通って、更に、前記第２開口の足首近傍の第１ハトメを通ることで、前記第１および第２サイドパネルを足の側面にフィットさせる第２部とを備えている。
【００１５】
この態様によれば、シューレース手段の第１部は、各パネルに設けた第３ハトメを通ることなく、第１ハトメと第２ハトメを通って、メインアッパーを足にフィットさせる。一方、シューレース手段の第２部は、爪先近傍の第１ハトメと足首近傍の第１ハトメとの間に設けた第２ハトメを通ることなく、爪先近傍の第１ハトメから第３ハトメを通って、更に、足首近傍の第１ハトメを通って、各パネルを足の甲にフィットさせる。
【００１６】
ここで、前記第１ハトメとシューレース手段との摩擦力は大きいので、前記第１部の締付力と第２部の締付力とは異なる大きさに制御され得る。そのため、メインアッパーとパネルとは互いに異なる緊締力で足にフィットされ得ると共に選択的に紐締めされ得る。
【００１７】
本発明の別の態様は、前記第１サイドパネルの前記第３ハトメと前記第２サイドパネルの第３ハトメとが、足長方向に延びる仮想のラインを中心として、互いに斜め向かいに配置され、前記シューレース手段が前記第１サイドパネルの第３ハトメと前記第２サイドパネルの第３ハトメとを連続的に通っている。
【００１８】
この態様によれば、互いに斜め向かいに配置された複数の第３ハトメをシューレース手段が連続的に通っているので、当該シューレース手段に張力を付与することにより、各第３ハトメが足の内外の中央に向って移動する。これによって、各サイドパネルが足の甲にフィットする。
【００１９】
なお、前記第２開口は一般に前記舌片で閉じられる。
【００２０】
本発明の更に別の態様では、前記第１および第２サイドパネルが前記メインアッパーの前記内部の面に接し、前記第１および第２サイドパネルの下部が前記足のアーチに接し、前記第１および第２サイドパネルの上部が前記舌片と前記メインアッパーとの間に配置され、かつ、前記第３ハトメが前記舌片上において前記第２開口から上方に向かって露出している。
【００２１】
足の甲の上面には、足趾を屈曲させる腱が通っている。前記腱が圧迫されると痛みを感じやすい上、足趾のスムースな屈曲が阻害される。
本態様によれば、各パネルの上部および第３ハトメが柔軟な舌片上に配置されているので、各パネルを大きい緊締力で締め付けた場合に、腱が圧迫され難い。したがって、パネルと腱との当りがソフトな状態で、パネルが舌片を介して甲にフィットする。
また、各パネルはメインアッパーの内部の面に接し、かつ、アーチに接するから、パネルがメインアッパーとは異なる力で足に接することが可能である。
【００２２】
本態様において、「パネルがメインアッパーの内部の面に接し、かつ、アーチに接する」とは、パネルが足のアーチとメインアッパーの外装材との間に配置されていることを意味し、内装材が存在する場合には、パネルが内装材と外装材との間に配置され、内装材を介してパネルがアーチに接することを意味する。
【００２３】
本発明の他の態様では、前記メインアッパーは、少なくとも足の後足部を覆うと共に足の表面に接触する内装材と、足の爪先から後足部にわたる全体を覆い、かつ、前記内装材を外部から覆う外装材とを備え、ここにおいて、前記各サイドパネルは前記外装材で形成される内部の空間に配置されており、着用時に前記シューレース手段により締め付けられて、前記外装材を介することなく、かつ、内装材を介して足の表面に接し、前記着用時に前記シューレース手段による第１サイドパネルの前記内側アーチに対する締め付けを抑制する第１抑制手段と、前記着用時に前記シューレース手段による第２サイドパネルの前記外側アーチに対する締め付けを抑制する第２抑制手段とを更に備えている。
【００２４】
本態様においては、各サイドパネルが外装材を介することなく内装材を介して足の表面に接するので、外装材とは別に各サイドパネルを足にフィットさせることができる。一方、各サイドパネルは内装材を介して、足にフィットするので、ソフトな足当たりが得られる。
しかも、各抑制手段が各サイドパネルの足への当たりが過大になるのを抑制し得る。
【００２５】
前記各態様において、前記各サイドパネルの下端はメインアッパーおよび／またはソールに付着されていてもよい。
【００２６】
パネルの下端はメインアッパーに付着（結合）されていてもよいし、メインアッパーを介して、あるいは、メインアッパーを介することなくソールに付着（結合）されていてもよい。この場合、パネルはソールから足の側面に沿って巻き上がっていてもよい。
【００２７】
前記各態様において、前記各サイドパネルの前縁の上部および各サイドパネルの後縁の上部は前記メインアッパーに接合されておらず、かつ、前記各サイドパネルの前記後縁の下部および／または前縁の下部は前記メインアッパーに接合されていてもよい。
【００２８】
この場合、パネルの後縁の下部または前縁の下部のうち少なくとも一方がメインアッパーに接合されているので、パネルがメインアッパーに拘束されることにより、パネルの足への当りが強くなりすぎるのを、特に、足のアーチに対する当りが強くなりすぎるのを抑制し得る。
【００２９】
前記各態様においては、前記内装材と前記外装材とは、足の内側面の部位において互いに面接合されていない袋状の第１袋部と、足の外側面の部位において互いに面接合されていない袋状の第２袋部とを形成しており、前記第１および第２袋部は、それぞれ前記内部の空間において開口する第１および第２スリットを有しており、前記第１袋部には前記第１サイドパネルの下部が収納されていると共に前記第１サイドパネルの上部が前記第１スリットから延び出ており、前記第２袋部には前記第２サイドパネルの下部が収納されていると共に前記第２サイドパネルの上部が前記第２スリットから延び出ているのが好ましい。
【００３０】
この場合、各スリットの前端および後端によりパネルが前後方向に位置ズレするのを防止し得る。
また、パネルを足にフィットさせる際に、内装材はパネルの下部が足の中央へ移動するのを抑制する。そのため、サイドパネルの下部の足への当たりが強くなりすぎるのを抑制し得る。
【００３１】
前記各態様において、前記サイドパネルの前縁および後縁の双方が前記メインアッパーに接合されていなくてもよい。
【００３２】
この場合、パネルがメインアッパーに拘束されていないから、パネルを足に強くフィットさせることができる。この実施例の場合は、たとえば、装着時間の短い短距離走などに適する。
【００３３】
本発明において、シューレース手段は、１本または複数本のシューレースを包含する。１本のシューレースの場合、靴の構造がシンプルになる。
【００３４】
前記各態様において、前記第３ハトメが前記舌片の上方で、かつ、締付時に前記シューレース手段の第１部の下方となるように設けられ、前記シューレース手段の第１部の下方を前記第２部が通っているのが好ましい。
この場合、第１部よりも短い第２部が下方に配置されているので、シューレースの締め付け状態を変更し易い。
【００３５】
前記各態様において、第１サイドパネルが舟状骨よりも前方において内側楔状骨の少なくとも一部を覆っており、第２サイドパネルが第１サイドパネルに相対する位置、その前方、または後方のいずれか１箇所以上において足を覆ってもよい。つまり、第２サイドパネルは、第５趾骨底、骨体または立方骨のいずれか１箇所以上を覆っていてもよい。
【００３６】
内側楔状骨を第１サイドパネルで覆うことにより、足の内側のアーチが第１サイドパネルによって覆われる。
【図面の簡単な説明】
【００３７】
【図１】図１は本発明の第１実施例にかかる紐締めフィッティング構造を備えた靴の概略斜視図である。
【図２】図２はシューレース手段を取り外した状態の同靴の概略斜視図である。
【図３】図３はシューレース手段を取り外した状態の同靴の概略斜視図である。
【図４】図４はシューレース手段を取り外した状態の同靴の概略斜視図である。
【図５】図５はシューレース手段を取り外した状態の同靴を内側から見た概略側面図である。
【図６】図６はシューレース手段を取り外した状態の同靴を外側から見た概略側面図である。
【図７】図７Ａは同靴に第１部および第３部のシューレース手段を通した状態の同靴の概略斜視図、図７Ｂは第２ハトメの例を示す概略平面図、図７Ｃは同第２ハトメの例を示す概略側面図である。
【図８】図８は同靴に第２部および第４部のシューレース手段を通した状態の同靴の概略斜視図である。
【図９】図９は同靴の着用状態における同靴を示す概略斜視図である。
【図１０】図１０は本発明の第２実施例にかかる紐締めフィッティング構造を備えた靴の概略斜視図である。
【図１１】図１１はシューレース手段を取り外した状態の同靴の概略斜視図である。
【図１２】図１２はシューレース手段を取り外した状態の同靴の概略斜視図である。
【図１３】図１３Ａおよび図１３Ｂは、それぞれ、シューレースを取り外した状態の本発明の第３実施例にかかる紐締めフィッティング構造を備えた靴の概略斜視図である。
【図１４】図１４Ａおよび図１４Ｂは、それぞれ、シューレースを取り外した状態の本発明の第４実施例にかかる紐締めフィッティング構造を備えた靴の概略斜視図である。
【図１５】図１５Ａは同実施例の靴を正面から見た概略斜視図、図１５Ｂは同靴の概念的な断面図である。
【符号の説明】
【００３８】
１：ソール
１０Ａ：第１抑制手段
１０Ｂ：第２抑制手段
１１：内装材
１２：外装材
１３Ａ：第１袋部
１３Ｂ：第２袋部
１４Ａ：第１スリット
１４Ｂ：第２スリット
２：アッパー
２５：接合材
２Ｍ：メインアッパー
３：シューレース
３１：第１部
３２：第２部
３３：第３部
３４：第４部
２１ｄ，２１ｕ：第１ハトメ
２２：第２ハトメ
２３：第３ハトメ
５ａ：前縁
５ｂ：後縁
５１：第１サイドパネル
５２：第２サイドパネル
１００：上部
１０１：下部
４：舌片
Ａｋ：足首
Ｂ：背面
Ｂ５1 ：内側楔状骨
Ｂ６：舟状骨
Ｆｄ：足の甲
Ｌｅ：脚
Ｐ１：第１開口
Ｐ２：第２開口
Ｐ２ｓ：側縁
Ｓ１：内側面
Ｓ２：外側面
Ｔ：爪先
Ｗ：幅方向
Ｙ１：前方
Ｙ２：後方
Ｚ１：上方
【発明を実施するための最良の形態】
【００３９】
本発明は、添付の図面を参考にした以下の好適な実施例の説明からより明瞭に理解されるであろう。しかしながら、実施例および図面は単なる図示および説明のためのものであり、本発明の範囲は請求の範囲によって定まる。添付図面において、複数の図面における同一の部品番号は、同一または相当部分を示す。
【００４０】
第１実施例：
以下、本発明の第１実施例が図１〜図９を参照して説明される。
以下の説明では、左足用の靴が例示される。また、以下の図において、矢印ＯＵＴは靴の外側方向、矢印ＩＮは靴の内側方向を示す。
【００４１】
靴の全体構造：
図１に示す紐締めフィッティング構造を備えた靴は、ソール１、アッパー２、シューレース３および舌片４を備えている。
ソール１は、着地の衝撃を吸収するものである。アッパー２は、足の甲を包むものである。シューレース３は、アッパー２を足の甲にフィットさせるためのものである。舌片４は、足の甲を覆うものである。
【００４２】
図２，図３および図４に示すように、アッパー２は、第１開口Ｐ１と第２開口Ｐ２とを備えている。図１に示すように、第１開口Ｐ１は着用時に脚Ｌｅが上方Ｚ１に出る開口である。
図２に示すように、第２開口Ｐ２は第１開口Ｐ１の前方Ｙ１、すなわち、爪先Ｔ（図５）に向って設けられた開口である。第２開口Ｐ２はアッパー２の上部において、足長方向（前後方向）Ｙに長く設けられている。前記２つの開口Ｐ１，Ｐ２は互いに連なっている。図１に示すように、前記舌片４は、前記第２開口Ｐ２を下方Ｚ２から閉じる。
【００４３】
アッパー２：
図３において、前記アッパー２は、メインアッパー２Ｍ、ハトメ２１ｄ，２１ｕ，２２，２３およびサイドパネル５１，５２（図５および図６）を備えている。
【００４４】
メインアッパー２Ｍ；
前記メインアッパー２Ｍは、図５の足の内側面Ｓ１、図６の外側面Ｓ２、爪先Ｔおよび背面Ｂを覆う。メインアッパー２Ｍには、前記第１開口Ｐ１および第２開口Ｐ２が形成されている。
図２の前記メインアッパー２Ｍは、内装材１１と外装材１２とを備える。前記内装材１１は足の後足部からアーチまでを覆うと共に足の表面に接する。前記外装材１２は前記内装材１１の外部に設けられ、足の全体を覆う。
【００４５】
ハトメ２１ｄ，２１ｕ，２２，２３；
前記ハトメは、前記シューレース３が通過すると共に係合する第１ハトメ２１ｄ，２１ｕ、第２ハトメ２２および第３ハトメ２３からなる。
【００４６】
第１ハトメ２１ｄ，２１ｕは、前記第２開口Ｐ２の側縁Ｐ２ｓに沿って設けられている。第１ハトメ２１ｄ，２１ｕは、第２開口Ｐ２の爪先Ｔ近傍に配置された爪先側第１ハトメ２１ｄと、第２開口Ｐ２の足首Ａｋ近傍に配置された足首側第１ハトメ２１ｕからなる。
第１ハトメ２１ｕ，２１ｄは、メインアッパー２Ｍに円形の貫通孔を穿孔することにより形成されていてもよいし、外側ＯＵＴの爪先側第１ハトメ２１ｄのように、ループ状に形成された帯をシューレース３が通過するように形成されていてもよい。
【００４７】
第２ハトメ２２は、第２開口Ｐ２の側縁Ｐ２ｓに沿って設けられている。第２ハトメ２２は、爪先側第１ハトメ２１ｄと足首側第１ハトメ２１ｕとの間の中間に配置されている。後述するように、第２ハトメ２２は金具で形成されている。
【００４８】
図４に示すように、第３ハトメ２３は、前記サイドパネル５１，５２の上端に各々設けられている。
第３ハトメ２３は、折り畳んだ布の両端がサイドパネル５１，５２の第１面５ｃおよび第２面５ｄにそれぞれ縫合され、シューレース３が通過できるようにループ状に形成されている。
【００４９】
サイドパネル５１，５２；
前記サイドパネル５１，５２は、第１サイドパネル５１と、第２サイドパネル５２からなる。図５および図６に示すように、各サイドパネル５１，５２は、ソール１から足の内外の側面Ｓ１，Ｓ２に沿ってそれぞれ巻き上がっている。なお、図２〜図６において、サイドパネル５１，５２の部位には、網点が施されている。
【００５０】
図２および図３に示すように、各サイドパネル５１，５２は、メインアッパー２Ｍの外装材１２に面接合されていない。つまり、各サイドパネル５１、５２と外装材１２の対向面同士は、互いに面で接合されておらず、各サイドパネル５１，５２のメインアッパー２Ｍに対面する第１面５ｃは、図５および図６の網点を施した部位について、メインアッパー２Ｍの外装材１２の面から離れることが可能である。図５および図６に示すように、サイドパネル５１，５２の下端５１ｄ，５２ｄはソール１に付着（縫合）されている。
【００５１】
各サイドパネル５１，５２の第１面５ｃの下部は、メインアッパー２Ｍの外装材１２の内部の面にそれぞれ接している。各サイドパネル５１，５２の第２面５ｄの下部は、外装材１２を介することなく足のアーチＦｒ（図５および図６）に接している。
【００５２】
第１サイドパネル５１は、締付時に、メインアッパー２Ｍの内部の空間において足の内側面Ｓ１に沿って上方Ｚ１に向って足の内側面Ｓ１に巻き付く。第２サイドパネル５２は、締付時に、メインアッパー２Ｍの内部の空間において足の外側面Ｓ２に沿って上方Ｚ１に向って足の外側面Ｓ２に巻き付く。
【００５３】
図２および図３においては、各サイドパネル５１，５２は後方Ｙ２に向って折り曲げた状態である。
図２および図３に示すように、前記各サイドパネル５１，５２は、内装材１１に連なって内装材１１と一体に形成されている。つまり、前記各サイドパネル５１，５２の後縁５ｂの上部および前縁５ａは、メインアッパー２Ｍに接合されておらず、一方、各サイドパネル５１，５２の後縁５ｂの下部はメインアッパー２Ｍに接合されている。
前記接合は第１および第２抑制手段１０Ａ，１０Ｂを構成しており、この接合により各サイドパネル５１，５２はメインアッパー２Ｍに拘束される。
つまり、第１抑制手段１０Ａは着用時にシューレース３を介して足の中央に引き寄せられた第１サイドパネル５１が足の内側のアーチＦｒを過度に締め付けるのを抑制する。一方、第２抑制手段１０Ｂは着用時にシューレース３を介して足の中央に引き寄せられた第２サイドパネル５２が足の外側のアーチＦｒを過度に締め付けるのを抑制する。
【００５４】
図４において、メインアッパー２Ｍが折り曲げられて、第２開口Ｐ２が拡げられた状態の靴が示される。
図４に示すように、各サイドパネル５１，５２の上部および第３ハトメ２３は、舌片４とメインアッパー２Ｍとの間に配置されている。図１に示すように、サイドパネル５１，５２（図４）の第３ハトメ２３は、舌片４上において、第２開口Ｐ２から上方Ｚ１に向って露出している。
【００５５】
図１に示すように、第１サイドパネル５１の第３ハトメ２３と、第２サイドパネル５２の第３ハトメ２３とは、足長方向Ｙに延びる仮想のラインＬを中心として、互いに斜め向かいに配置されている。
【００５６】
図５に示すように、第１サイドパネル５１は、メインアッパー２Ｍの内部の空間において、足の内側面Ｓ１に沿って、斜め上方Ｚ１に向って足の内側面Ｓ１に巻き付く。第１サイドパネル５１は、舟状骨Ｂ６よりも前方Ｙ１において内側楔状骨Ｂ５1 を覆っている。
【００５７】
図６に示すように、第２サイドパネル５２は、メインアッパー２Ｍの内部の空間において、足の外側面Ｓ２に沿って、斜め上方Ｚ１に向って足の外側面Ｓ２に巻き付く。第２サイドパネル５２は、第１サイドパネル５１に相当する位置およびその前方Ｙ１を覆う。第２サイドパネル５２は、第２〜第４中足骨Ｂ４2 〜Ｂ４5 の骨底付近を覆う。
したがって、第１および第２サイドパネル５１，５２は、足のアーチＦｒの側面に接触し、該アーチＦｒの側面を覆う。
【００５８】
シューレース３：
図９に示すように、前記シューレース３は１本のシューレースからなる。前記シューレースの周囲には、図示しない多数の凸部が形成されている。
前記シューレース３は、各第１〜第３ハトメ２１ｄ，２１ｕ，２２，２３を通過する。
シューレース３は、第１部〜第４部３１〜３４を備えている。なお、図９において、説明を分かり易くするために、シューレース３の第２部３２および第４部３４に網点が施されている。また、シューレース３の第３部３３および第４部３４は、各図において図示が一部省略されている。
【００５９】
図７Ａに示すように、シューレース３の第１部３１は第３ハトメ２３を通らない。前記第１部３１は、内側面Ｓ１と外側面Ｓ２との間を往復することを繰り返すように、つまり、第２開口Ｐ２を斜めに横切ることを繰り返しながら、爪先側の第１ハトメ２１ｄ、第２ハトメ２２および足首側第１ハトメ２１ｕを通る。
【００６０】
前述したように、第１ハトメ２１ｕ，２１ｄは、メインアッパー２Ｍに円形の貫通孔を穿孔することにより形成されている。シューレース３の周囲には、多数の凸部が形成されているので、前記第１ハトメ２１ｕ，２１ｄの孔とシューレース３とが係合し、摩擦力が大きくなる。
【００６１】
一方、第２ハトメ２２には、図７Ｂおよび図７Ｃに示す金属製の第２ハトメ２２が用いられている。
図７Ｂおよび図７Ｃに示すように、第２ハトメ２２は、シューレース３が接触する平滑な円筒形の接触部２２ａを備えている。そのため、金属製の接触部２２ａとシューレース３との摩擦力は小さく、前記シューレース３と第２ハトメ２２との摩擦力は、第１ハトメ２１ｕ，２１ｄとの摩擦力よりも小さく設定されている。
第２ハトメ２２は、留め具２２ｂを介してメインアッパー２Ｍに対して回転自在に固定されている。シューレース３により第２ハトメ２２が引っ張られると、第２ハトメ２２が、矢印で示すように留め具２２ｂの回動中心Ｏを中心に回動される。
【００６２】
図８に示すように、シューレース３の第２部３２は、第２開口Ｐ２の爪先側第１ハトメ２１ｄから、中間の第２ハトメ２２を通ることなく、前記両サイドパネル５１，５２（図５，図６）の第３ハトメ２３を通る。更に、第２部３２は、第２開口Ｐ２の足首側第１ハトメ２１ｕを通るように配置される。こうして、第２部３２は第２開口Ｐ２を斜めに横切ることを繰り返し、爪先側第１ハトメ２１ｄ、第３ハトメ２３，２３および足首側第１ハトメ２１ｕを通る。
【００６３】
図９に示すように、シューレース３の第３部３３は、内側ＩＮにおける足首側第１ハトメ２１ｕから延び出る。
シューレース３の第４部３４は、外側ＯＵＴにおける足首側第１ハトメ２１ｕから延び出る。
【００６４】
前記第３ハトメ２３は、舌片４の上方Ｚ１で、かつ、締付時にシューレース３の第１部３１の下方Ｚ２に配置される。シューレース３の第２部３２は、第１部３１の下方Ｚ２を通っている。
【００６５】
調整方法：
図９に示すようにシューレース３を第１〜第３ハトメ２１ｕ，２１ｄ，２２、２３に通した後、シューレース３の第３部３３と第４部３４とを互いに結ぶ。
【００６６】
ここで、図５および図６に示すアーチＦｒを強く締め付け、爪先Ｔ部分等を自由に動かしたい場合には、図９に示す第３部３３の張力を小さくすると共に、シューレース３の第４部３４を引っ張る。
図９に示すように、第１サイドパネル５１の第３ハトメ２３と、第２サイドパネル５２の第３ハトメ２３とが、足長方向Ｙに延びる仮想のラインＬを中心として、互いに斜め向かいに配置されている。そのため、第４部３４を引っ張ると、一対の第３ハトメ２３，２３を介して図４のサイドパネル５１，５２が互いに近づき、サイドパネル５１，５２が図５および図６のアーチＦｒにフィットし、当該アーチＦｒが締め付けられる。
【００６７】
一方、図９のシューレース３と第２ハトメ２２との摩擦力は、シューレース３と第１ハトメ２１ｕ，２１ｄとの摩擦力よりも小さく設定されているので、第３部３３を緩めることで、簡単にメインアッパー２Ｍによる内側面Ｓ１および外側面Ｓ２に対する締付力を緩めることができる。
【００６８】
メインアッパー２Ｍを足全体に概ね均等にフィットさせたい場合には、シューレース３の第４部３４だけでなく第３部３３を引っ張ることにより、サイドパネル５１，５２だけではなく、第２ハトメを介してメインアッパー２Ｍの内側面Ｓ１と外側面Ｓ２とが互いに引き寄せられ、サイドパネル５１，５２およびメインアッパー２Ｍが足全体にフィットする。
【００６９】
第２実施例：
以下、本発明の第２実施例が図１０〜図１２を参照して説明される。
図１０に示すように、本第２実施例の靴には、第１および第２サイドパネル５１，５２が設けられている。図１１および図１２に示すように、各サイドパネル５１，５２の前縁５ａおよび後縁５ｂの双方は、上部および下部において、メインアッパー２Ｍに接合されていない。
その他の構成は、第１実施例と同様であり、同一部分または相当部分に同一符号を付して、その説明を省略する。
【００７０】
第３実施例：
以下、本発明の第３実施例が図１３Ａおよび図１３Ｂを参照して説明される。
図１３Ａおよび図１３Ｂに示すように、本実施例３のメインアッパー２Ｍにおいて、第１および第２サイドパネル５１，５２の後方Ｙ２にＵ字状の切欠部２００が設けられている。前記各サイドパネル５１，５２の後縁が前記内装材１１に連なっていることでメインアッパー２Ｍに拘束されている。前記各サイドパネル５１、５２は前記内装材１１とは異なる合成皮革の張り材が前記内装材１１に貼り合わされていてもよい。
前記各サイドパネル５１、５２における第３ハトメ２３を設けた上部１００は、メインアッパー２Ｍの外装材１２にその全面において接合されていない。したがって、前記上部１００は外装材１２から離れて足の側面や甲にフィットすることが可能である。
一方、各サイドパネル５１、５２は、太い破線で示すように、前縁５ａの下部、後縁５ｂの下部および上下の中間の部位において、外装材１２に糸１０２で縫合されて接合されている。したがって、各サイドパネル５１、５２の下部１０１は外装材１２に接合されて外装材１２から離れることなく、足の側面にフィットしたり、足の側面から離れた状態で対面する。
その他の構成は、実施例１と同様であり、同一部分または相当部分に同一符号を付して、その説明を省略する。
【００７１】
第４実施例：
以下、本発明の第４実施例が図１４Ａ〜図１５Ｂを参照して説明される。
図１４Ａに示すように、本実施例４の靴は、舌片４の両側部と、メインアッパー２Ｍとが接合材２５を介してそれぞれ互いに接合されている。
前記接合材２５により、舌片４とメインアッパー２Ｍとの隙間から砂や雨、泥水などが靴内に侵入するのを防止することができる。
接合材２５としては、たとえば、溌水および通気性を有する素材を用いるのが好ましい。
【００７２】
本実施例においては、内装材１１は前記接合材２５の内面および舌片４の内面に連なっていると共に、足の概ね全面を覆っている。足の内外のアーチＦｒの部位において、前記内装材１１と外装材１２とが互いに面接合されていない袋状の第１および第２袋部１３Ａ，１３Ｂが形成されている。
図１５Ｂに示すように、各袋部１３Ａ，１３Ｂ内において、前記各サイドパネル５１，５２は内装材１１と外装材１２とに挟まれた位置に配置されている。
【００７３】
前記第１および第２袋部１３Ａ，１３Ｂは、それぞれ前記アッパー内部の空間において開口する第１および第２スリット１４Ａ，１４Ｂを有している。前記第１袋部１３Ａには前記第１サイドパネル５１の下部が収納されていると共に前記第１サイドパネル５１の上部が第１スリット１４Ａから延び出ている。前記第２袋部１３Ｂには第２サイドパネル５２の下部が収納されていると共に前記第２サイドパネル５２の上部が前記第２スリット１４Ｂから延び出ている。
【００７４】
前記各スリット１４Ａ，１４Ｂの長さは、各サイドパネル５１，５２の前後方向の幅よりも若干大きい。そのため、前記各スリット１４Ａ，１４Ｂは前記各サイドパネル５１，５２が前後方向に位置ズレするのを抑制する。
【００７５】
前記各サイドパネル５１，５２の下部は、前記各袋部１３Ａ，１３Ｂ内に収納されている。そのため、図１５Ａのように、各サイドパネル５１，５２がシューレース３で締め付けられて、各サイドパネル５１，５２が足の中央に引き寄せられた際に、図１４Ａの内装材１１が前記サイドパネル５１，５２の下部の移動を抑制する。つまり、本実施例では、第１および第２袋部１３Ａ，１３Ｂが第１および第２抑制手段１０Ａ，１０Ｂを構成する。
【００７６】
本実施例の場合、前記スリット１４Ａ，１４Ｂは接合材２５に設けられているが、接合材２５ではなく内装材１１に設けられてもよい。たとえば、接合材２５が設けられておらず、かつ、内装材１１が外装材１２の内表面に設けられている場合、内装材１１と外装材１２との間の袋部から、内装材１１に設けられたスリットを介してサイドパネル５１、５２が延び出てもよい。
【００７７】
図１５Ａにおいて、前記一対のサイドパネル５１，５２は、互いに対面する位置に設けられている。つまり、第１および第２サイドパネル５１，５２は、足長方向の同じ位置に設けられている。
その他の構成は、実施例１と同様であり、同一部分または相当部分に同一符号を付して、その説明を省略する。
【００７８】
以上のとおり、図面を参照しながら好適な実施例を説明したが、当業者であれば、本明細書を見て、自明な範囲で種々の変更および修正を容易に想定するであろう。
【００７９】
たとえば、第２サイドパネルは、第１サイドパネルに相対する位置やその前方または後方に位置していてもよい。
第２ハトメは、１つのサイドパネルに２個以上設けられていてもよい。
【００８０】
また、シューレース３は２本以上であってもよい。
さらに、サイドパネルの下端はソールに付着されていなくてもよい。
また、舌片を設けなくてもよい。舌片を設けない場合、たとえば内側面および外側面の双方に櫛歯状のパネルを設け、第１サイドパネルと第２サイドパネルとが互い違いに足の甲を覆ってもよい。
【００８１】
したがって、そのような変更および修正は、請求の範囲から定まる本発明の範囲のものと解釈される。
【産業上の利用可能性】
【００８２】
本発明は、トレッキングシューズ等の運動靴の他、様々な靴に利用することができる。
【図１】
0005444558.tif 000002
【図２】
0005444558.tif 000003
【図３】
0005444558.tif 000004
【図４】
0005444558.tif 000005
【図５】
0005444558.tif 000006
【図６】
0005444558.tif 000007
【図７】
0005444558.tif 000008
【図８】
0005444558.tif 000009
【図９】
0005444558.tif 000010
【図１０】
0005444558.tif 000011
【図１１】
0005444558.tif 000012
【図１２】
0005444558.tif 000013
【図１３】
0005444558.tif 000014
【図１４】
0005444558.tif 000015
【図１５】
0005444558.tif 000016